【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
圧力差が、懸濁液中に浸漬された、透過性を有する中空の膜の壁を横切ってかけられるタイプの設備における、透過性を有する中空な膜を洗浄する方法であって、前記懸濁液は、多孔性かつ中空の前記膜の外面に適用されて前記膜壁を通じた濾過作用を生じさせ、かつ維持しており、
（ａ）前記懸濁液の幾分かは、前記膜の壁を通過して前記中空の膜の内腔から浄化液又は濾過液として引き出され、
（ｂ）少なくとも幾分かの固形分は、前記中空の膜の上、若しくは中に、又は別様に膜を取り囲む液体の中に懸濁された固形分として保持され、
前記洗浄方法は、
（ｉ）少なくとも部分的に、液体を前記膜の濾過液側から除去するステップと、
（ｉｉ）少なくとも部分的に、液体を前記膜の外側から除去するステップと、
（ｉｉｉ）前記膜壁の外側に洗浄液を適用するステップと、
（ｉｖ）前記膜壁を横切って圧力差をかけて前記壁を通じる、前記膜の外側から前記膜内腔の中への前記洗浄液の流れを生じさせ、前記内腔を洗浄液で少なくとも部分的に充填するステップと、
（ｖ）前記膜の外側を隔離するステップと、
（ｖｉ）加圧されたガスを前記膜壁の濾過液側に適用し、前記膜壁を通じる前記外側へ戻る前記洗浄液の流れを生じさせるステップと
（ｖｉｉ）前記洗浄液の流れの結果として前記膜の外側に発生する増加した圧力を累積するステップと、
（ｖｉｉｉ）前記加圧されたガスによって前記膜壁の濾過液側へ適用された圧力を開放し、前記膜壁の外側に累積された圧力の効果の下で、前記外側から前記濾過液側への前記膜を通じる前記洗浄液の流れを生じさせるステップと、
を備える、方法。
【請求項２】
前記洗浄液は、化学的洗浄液であることを特徴とする請求項１に記載の方法。
【請求項３】
前記ステップｖｉ）において、ガスは、前記膜内腔が実質的に洗浄液で洗い流されるように適用されることを特徴とする請求項１に記載の方法。
【請求項４】
前記圧力は、前記ステップｖｉｉ）において、前記膜壁の前記外側に設けられたガス空間中に累積されることを特徴とする請求項１に記載の方法。
【請求項５】
前記圧力は、前記ステップｖｉｉ）において、ブラダー装置内に累積されることを特徴とする請求項１に記載の方法。
【請求項６】
前記ステップｉｖ）の前記圧力差は、ガス圧を前記膜壁の前記外側に適用することによって提供されることを特徴とする請求項１に記載の方法。
【請求項７】
前記ステップｉｖ）の前記圧力差は、前記濾過液側に真空を適用することによって提供されることを特徴とする請求項１に記載の方法。
【手続補正２】
【補正対象書類名】明細書
【補正対象項目名】００５１
【補正方法】変更
【補正の内容】
【００５１】
本発明のさらなる変型及び改良が、記載された本発明の精神又は技術的範囲から離れること無く可能であるということが理解されるであろう。
本発明の実施態様の例は以下のとおりである。
（１）圧力差が、懸濁液中に浸漬された、透過性を有する中空の膜の壁を横切ってかけられるタイプの設備における、前記透過性を有する中空な膜を洗浄する方法であって、前記懸濁液は、前記多孔性中空膜の外面に適用されて前記膜壁を通じた濾過作用を生じさせ、かつ維持しており、
（ｃ） 前記懸濁液の幾分かは、前記膜の壁を通過して前記中空の膜の内腔から浄化液又は濾過液として引き出され、
（ｄ） 少なくとも幾分かの固形分は、中空の膜の上、若しくは中に、又は別様に膜を取り囲む液体の中に懸濁された固形分として保持され、
前記洗浄方法は、
（ｉ）前記膜壁の一方の側に洗浄液を適用するステップと、
（ｉｉ）前記膜壁を横切って圧力差をかけて、前記膜壁の一方の側から前記膜壁の他方の側への前記壁を通じる前記洗浄液の流れを生じさせるステップと、
（ｉｉｉ）前記膜壁を横切って逆の圧力差をかけて、前記膜壁の前記他方の側から前記膜壁の前記一方の側へ戻る、前記壁を通じる前記洗浄液の流れを生じさせるステップと、
を備えている方法。
（２）前記ステップｉｉ）の前記圧力差は、ガス圧を前記膜壁の前記一方の側に適用することによって提供されることを特徴とする実施態様（１）に記載の方法。
（３）前記ステップｉｉ）の前記圧力差は、前記膜壁の前記他方の側に真空を適用することによって提供されることを特徴とする実施態様（１）に記載の方法。
（４）前記ステップｉｉｉ）の前記逆の圧力差は、ガス圧を前記膜壁の前記他方の側に適用することによって提供されることを特徴とする実施態様（１）に記載の方法。
（５）前記ステップｉｉｉ）の前記逆の圧力差は、前記膜壁の前記一方の側に真空を適用することによって提供されることを特徴とする実施態様（１）に記載の方法。
（６）前記洗浄液は、化学的洗浄液であることを特徴とする実施態様（１）に記載の方法。
（７）圧力差が、懸濁液中に浸漬された透過性を有する中空の膜の壁を横切ってかけられるタイプの設備における、前記透過性を有する中空な膜を洗浄する方法であって、前記懸濁液は、前記多孔性中空膜の外面に適用されて前記膜壁を通じた濾過作用を生じさせ、かつ維持しており、
（ａ）  前記懸濁液の幾分かは、前記膜の壁を通過して前記中空の膜の内腔から浄化液又は濾過液として引き出され、
（ｂ）  少なくとも幾分かの固形分は、前記中空の膜の上、若しくは中に、又は別様に膜を取り囲む液体の中に懸濁された固形分として保持され、
前記洗浄方法は、
（ｉ）少なくとも部分的に、液体を前記膜の濾過液側から除去するステップと、
（ｉｉ）少なくとも部分的に、液体を前記膜の外側から除去するステップと、
（ｉｉｉ）前記膜壁の外側に洗浄液を適用するステップと、
（ｉｖ）前記膜壁を横切って圧力差をかけて前記膜の外側から前記膜内腔の中への前記壁を通じる前記洗浄液の流れを生じさせ、前記内腔を洗浄液で少なくとも部分的に充填するステップと、
（ｖ）前記膜壁を横切って圧力差をかけて前記膜の内腔の側から前記膜の内腔の外側へ戻る、前記壁を通じる前記洗浄液の流れを生じさせるステップと、
を備えている方法。
（８）前記ステップｖ）における前記圧力差は、加圧されたガスを前記膜壁の内腔側に適用することによって生成され、前記膜壁を通じる前記外側へ戻る前記洗浄液の流れを生じさせることを特徴とする実施態様（７）に記載の方法。
（９）前記洗浄方法の前記複数のステップは周期的に繰り返され、前記洗浄液は、前記膜の一方の側から前記他方の側へ前記膜壁を通じて交互に動かされることを特徴とする実施態様（７）に記載の方法。
（１０）前記洗浄液は、化学的洗浄液であることを特徴とする実施態様（７）に記載の方法。
（１１）ｐＨ及び／又は前記洗浄の少なくとも一部に対する膜の膜抵抗を測定するステップと、
ｐＨ及び／又は膜抵抗があらかじめ決められた値に達するときに前記化学洗浄を中止するステップと、
を備えている膜の化学洗浄を制御する方法。
（１２）ｐＨ及び／又は前記洗浄の少なくとも一部に対する膜の膜抵抗を測定するステップと、
洗浄の経過時間を測定するステップと、
時間に対するｐＨの変化率（ｄｐＨ／ｄｔ）及び／又は時間に対する膜抵抗の変化率（ｄＲ／ｄｔ）を計算するステップと、
ｄｐＨ／ｄｔ及び／又はｄＲ／ｄｔがあらかじめ決められた値に達したときに前記化学洗浄を中止するステップと、
を備えている膜の化学洗浄を制御する方法。
（１３）  前記洗浄の少なくとも一部に対する膜の膜抵抗を測定するステップと、
洗浄の経過時間を測定するステップと、
時間に対する膜抵抗の変化率（ｄＲ／ｄｔ）を計算するステップと、
（ｄＲ／ｄｔ）を使用して、洗浄の完了までの時間を計算するステップと、
を備えている濾過システムの化学洗浄を制御する方法。
（１４）  洗浄の間に存在する化学洗浄剤の量を増加するステップと、
前記洗浄の少なくとも一部に対する膜の膜抵抗を測定するステップと、
膜抵抗があらかじめ決められた値に達したときに、化学洗浄剤の増加を中止するステップと、
を備えている膜の化学洗浄を制御する方法。
（１５）洗浄剤の量は、一定量で増加されることを特徴とする実施態様（１４）に記載の方法。
（１６）前記予め決められた値は、膜抵抗の安定状態における値に近くされていることを特徴とする実施態様（１４）又は（１５）に記載の方法。
（１７）前記膜は、精密濾過膜又は限外濾過膜であることを特徴とする実施態様（１１）、（１２）、又は（１４）に記載の方法。